(57)【特許請求の範囲】
【請求項１】
対象となる記録媒体上の記録材が付与されていない領域を測定手段を用いて測定した第１の測定結果を取得する取得手段と、
前記対象となる記録媒体への記録のために画像データを補正する補正データが有効であるか否かを、前記取得手段が取得した前記第１の測定結果に基づいて判断する判断手段と
を備え、
前記補正データは、前記対象となる記録媒体に対して前記記録材が付与された領域を前記測定手段により測定した第２の測定結果と、前記記録材が付与された前記領域に対応する目標値と、に基づいて生成されることを特徴とするデータ処理装置。
【請求項２】
前記補正データは、前記対象となる記録媒体に付与すべき複数の色の前記記録材の付与量のバランスを調整するための多次元の変換テーブルであることを特徴とする請求項１に記載のデータ処理装置。
【請求項３】
前記補正データは、前記対象となる記録媒体に付与すべき前記記録材の付与量を調整するための１次元の変換テーブルであることを特徴とする請求項１に記載のデータ処理装置。
【請求項４】
前記第１の測定結果は前記対象となる記録媒体上の、前記記録材が付与されていない複数の領域をそれぞれ測定した複数の測定結果を含み、前記判断手段は、前記複数の測定結果の標準偏差あるいは平均値に基づいて、前記補正データが有効であるか否かを判断することを特徴とする請求項１ないし３のいずれか１項に記載のデータ処理装置。
【請求項５】
前記第１の測定結果は、前記対象となる記録媒体上の前記記録材が付与されていない複数の領域の明度を含み、前記判断手段は、前記明度の標準偏差に基づいて判断することを特徴とする請求項４に記載のデータ処理装置。
【請求項６】
前記第１の測定結果は、前記対象となる記録媒体上の前記記録材が付与されていない複数の領域の色度を含み、前記判断手段は、前記色度の平均値に基づいて判断することを特徴とする請求項４に記載のデータ処理装置。
【請求項７】
前記第１の測定結果は、Ｌａｂ値であることを特徴とする請求項１ないし３のいずれか１項に記載のデータ処理装置。
【請求項８】
前記第１の測定結果は、前記対象となる記録媒体上の前記記録材が付与されていない複数の領域のＬａｂ値を含み、前記判断手段は、前記第１の測定結果のうち、Ｌ値の標準偏差が所定の閾値よりも小さく、且つ、Ｌ値、ａ値、ｂ値それぞれの平均値がそれぞれ対応する閾値よりも小さい場合に、前記補正データが有効であると判断することを特徴とする請求項７に記載のデータ処理装置。
【請求項９】
前記第１の測定結果は、対象とする記録媒体における前記記録材が付与されていない領域の色を表し、前記第２の測定結果は前記対象とする記録媒体における前記記録材が付与されている領域の色を表すことを特徴とする請求項１ないし４のいずれか１項に記載のデータ処理装置。
【請求項１０】
前記第２の測定結果は、前記記録材が付与されている複数の領域をそれぞれ測定した複数の測定結果を含み、
前記判断手段は、当該複数の測定結果の標準偏差が所定の閾値よりも小さい場合は前記第２の測定結果が有効であり、当該複数の測定結果の標準偏差が前記所定の閾値以上の場合は前記第２の測定結果が有効ではないと更に判断することを特徴とする請求項１ないし９のいずれか１項に記載のデータ処理装置。
【請求項１１】
ユーザから前記対象となる記録媒体に対応する前記補正データの生成を指示する情報を受け付ける受付手段と、
前記受付手段により前記情報を受け付け、且つ、前記判断手段が前記補正データは有効であると判断した場合に、前記補正データを生成する生成手段と
を更に備えることを特徴とする請求項１ないし１０のいずれか１項に記載のデータ処理装置。
【請求項１２】
前記生成手段が生成した前記補正データを前記対象となる記録媒体に対応付けて記憶する記憶手段を更に備えることを特徴とする請求項１１に記載のデータ処理装置。
【請求項１３】
前記判断手段が前記補正データは有効ではないと判断した場合、ユーザに前記補正データが有効ではないことに対応する情報を通知する通知手段を更に備えることを特徴とする請求項１ないし１２のいずれか１項に記載のデータ処理装置。
【請求項１４】
前記判断手段が前記補正データは有効ではないと判断した場合に、前記対象となる記録媒体に似通った記録媒体に対応する補正データを、前記対象となる記録媒体に対応付けて記憶する記憶手段を更に備えることを特徴とする請求項１ないし１３のいずれか１項に記載のデータ処理装置。
【請求項１５】
前記判断手段が前記補正データが有効であると判断した場合、前記取得手段によって前記第１の測定結果が取得された後に前記第２の測定結果は取得され、前記判断手段が前記補正データが有効ではないと判断した場合、前記第２の測定結果は取得されないことを特徴とする請求項１ないし１４のいずれか１項に記載のデータ処理装置。
【請求項１６】
画像を形成するために前記記録媒体に記録材を付与する記録手段を更に備えることを特徴とする請求項１ないし１５のいずれか１項に記載のデータ処理装置。
【請求項１７】
対象となる記録媒体上の、記録材が付与されていない領域を測定手段を用いて測定した第１の測定結果を取得する取得工程と、
前記対象となる記録媒体への記録のために画像データを補正する補正データが有効であるか否かを、前記取得工程が取得した前記第１の測定結果に基づいて判断する判断工程と
を有し、
前記補正データは、前記対象となる記録媒体に対して前記記録材が付与された領域を前記測定手段により測定した第２の測定結果と、前記記録材が付与された前記領域に対応する目標値と、に基づいて生成されることを特徴とするデータ処理方法。
【請求項１８】
前記補正データは、前記対象となる記録媒体に付与すべき複数の色の前記記録材の付与量のバランスを調整するための多次元の変換テーブルであることを特徴とする請求項１７に記載のデータ処理方法。
【請求項１９】
前記補正データは、前記対象となる記録媒体に付与すべき前記記録材の付与量を調整するための１次元の変換テーブルであることを特徴とする請求項１７に記載のデータ処理方法。
【請求項２０】
前記第１の測定結果は前記対象となる記録媒体上の、前記記録材が付与されていない複数の領域をそれぞれ測定した複数の測定結果を含み、前記判断工程は、前記複数の測定結果の標準偏差あるいは平均値に基づいて、前記補正データが有効であるか否かを判断することを特徴とする請求項１７ないし１９のいずれか１項に記載のデータ処理方法。
【請求項２１】
前記第１の測定結果は、前記対象となる記録媒体上の前記記録材が付与されていない複数の領域の明度を含み、前記判断工程は、前記明度の標準偏差に基づいて判断することを特徴とする請求項２０に記載のデータ処理方法。
【請求項２２】
前記第１の測定結果は、前記対象となる記録媒体上の前記記録材が付与されていない複数の領域の色度を含み、前記判断工程は、前記色度の平均値に基づいて判断することを特徴とする請求項２０に記載のデータ処理方法。
【請求項２３】
前記第１の測定結果は、Ｌａｂ値であることを特徴とする請求項１７ないし１９のいずれか１項に記載のデータ処理方法。
【請求項２４】
前記第１の測定結果は、前記対象となる記録媒体上の前記記録材が付与されていない複数の領域のＬａｂ値を含み、前記判断工程は、前記第１の測定結果のうち、Ｌ値の標準偏差が所定の閾値よりも小さく、且つ、Ｌ値、ａ値、ｂ値それぞれの平均値がそれぞれ対応する閾値よりも小さい場合に、前記補正データが有効であると判断することを特徴とする請求項２３に記載のデータ処理方法。
【請求項２５】
前記第１の測定結果は、対象とする記録媒体における前記記録材が付与されていない領域の色を表し、前記第２の測定結果は前記対象とする記録媒体における前記記録材が付与されている領域の色を表すことを特徴とする請求項１７ないし２０のいずれか１項に記載のデータ処理方法。
【請求項２６】
前記第２の測定結果は、前記記録材が付与されている複数の領域をそれぞれ測定した複数の測定結果を含み、
前記判断工程は、当該複数の測定結果の標準偏差が所定の閾値よりも小さい場合は前記第２の測定結果が有効であり、当該複数の測定結果の標準偏差が前記所定の閾値以上の場合は前記第２の測定結果が有効ではないと更に判断することを特徴とする請求項１７ないし２５のいずれか１項に記載のデータ処理方法。
【請求項２７】
ユーザから前記対象となる記録媒体に対応する前記補正データの生成を指示する情報を受け付ける受付工程と、
前記受付工程により前記情報を受け付け、且つ、前記判断工程が前記補正データは有効であると判断した場合に、前記補正データを生成する生成工程と
を更に有することを特徴とする請求項１７ないし２６のいずれか１項に記載のデータ処理方法。
【請求項２８】
前記生成工程が生成した前記補正データを前記対象となる記録媒体に対応付けて記憶する記憶工程を更に有することを特徴とする請求項２７に記載のデータ処理方法。
【請求項２９】
前記判断工程が前記補正データは有効ではないと判断した場合、ユーザに前記補正データが有効ではないことに対応する情報を通知する通知工程を更に有することを特徴とする請求項１７ないし２８のいずれか１項に記載のデータ処理方法。
【請求項３０】
前記判断工程が前記補正データは有効ではないと判断した場合に、前記対象となる記録媒体に似通った記録媒体に対応する補正データを、前記対象となる記録媒体に対応付けて記憶する記憶工程を更に有することを特徴とする請求項１７ないし２９のいずれか１項に記載のデータ処理方法。
【請求項３１】
前記判断工程が前記補正データが有効であると判断した場合、前記取得工程によって前記第１の測定結果が取得された後に前記第２の測定結果は取得され、前記判断工程が前記補正データが有効ではないと判断した場合、前記第２の測定結果は取得されないことを特徴とする請求項１７ないし３０のいずれか１項に記載のデータ処理方法。
【発明の詳細な説明】
【技術分野】
【０００１】
本発明は、予め記録の対象とはしていない記録媒体のために、キャリブレーションを行ったり新たなカラープロファイルを用意したりすることが可能な、データ処理装置およびデータ処理方法に関する。
【背景技術】
【０００２】
近年、様々な種類の記録媒体に対し安定した濃度や色彩の画像を出力するために、予め記録の対象とはしていない記録媒体のキャリブレーションを行ったり、カラープロファイルを新たに生成したりする記録装置や記録システムが提供されている。このような記録装置或いは記録システムでは、上記記録媒体に対し所定のパターンを記録し当該パターンを測色器を用いて測色し、その測色結果に基づいてキャリブレーションを行ったり、カラープロファイルを生成したりする。
【０００３】
ここで、本明細書におけるキャリブレーションとは、記録媒体で表現される画像濃度を記録媒体の種類によらず安定させるための機能である。そのために、例えば濃度が高く表現されがちな記録媒体の場合は入力信号値を低レベルに、濃度が低く表現されがちな記録媒体の場合は入力信号値を高レベルに変換する。このような変換処理を行うために、各インク色の入力信号（ＣＭＹＫ）のそれぞれに対して適切な補正出力信号（Ｃ´Ｍ´Ｙ´Ｋ´）が対応付けられた１次元の変換テーブルが、記録媒体ごとに用意される。
【０００４】
一方、本明細書におけるカラープロファイル生成機能とは、どのような記録媒体であっても、同じ入力信号の組み合わせ（ＲＧＢ）に対しては同等の色度が表現されるように、入力信号値に補正をかける処理である。このような変換処理を行うために、入力信号（ＲＧＢ）に対して適切な補正出力信号（Ｒ´Ｇ´Ｂ´）が対応付けられた多次元の変換テーブルを記録媒体ごとに用意する。
【０００５】
キャリブレーションにしてもカラープロファイルにしても、変換テーブルを作成するためには、注目する記録媒体に対し所定のパッチを記録し、それを測色し、測色結果に応じて変換テーブルを生成するという作業が要される。
【０００６】
ここで、記録システムが決められた種類の記録媒体にしか記録を行わない場合は、夫々の記録媒体に対応する変換テーブルを予め用意し、記録システムの内部メモリに記録しておけばよい。しかしながら、近年のように様々な記録媒体が提供される状況においては、予め登録されていない記録媒体に対しても記録が行われることがあり、目標の濃度や目標の色度が表現できなくなってしまうおそれが生じる。ただし、記録システムが測色器を備えていれば、新たな種類の記録媒体が装着された場合であっても、その記録媒体に対して上記作業すなわち所定のパッチを記録し、それを測色し、測色結果に応じて変換テーブルを生成するという作業を行うことが出来る。そして、新たに生成した変換テーブルを用いることにより、その記録媒体に目標の濃度や目標の色度を表現することが可能となる。
【先行技術文献】
【特許文献】
【０００７】
【特許文献１】特開平０５−０２４２２４号公報
【発明の概要】
【発明が解決しようとする課題】
【０００８】
しかしながら、上述したような変換テーブルを生成するための作業は、全ての記録媒体について正常に実行可能なわけではない。例えば、表面の凹凸が激しく測色器との光学条件を一定に保てない記録媒体や、表面の明度や色度、光沢度が一定でない記録媒体は、測色結果が安定しないことが多い。そして、このように安定しない測色結果に基づいて変換テーブルを生成しても、信頼性の高い補正を行うことが出来ず、不本意な色再現しか出来ないという問題が生じていた。
【０００９】
また記録媒体の地色が一般的な白色ではなく黄色味などの色相を彩度高く有する場合には、一連の作業を行って変換テーブルを生成することはできるが、測色結果には地色の影響が含まれてしまっている。よって、生成された変換テーブルを用いても、記録媒体にインクを付与することによって表現される色相や彩度のずれを適切に補正することが難しく、出力された画像において誤った色再現がなされてしまう場合もあった。
【００１０】
このような不本意な色再現を防ぐために、例えば引用文献１には、プリンタメーカーが予め多種類の記録媒体に対し印を付しておき、その印をセンサで読み取ることにより、装置に適合性のない記録媒体を排除する方法が提案されている。しかし、引用文献１の方法においても、印を付けることが出来る記録媒体の種類には限度があり、ユーザが独自に用意した未知の記録媒体に十分に対応することは出来ない。
【００１１】
すなわち、様々な記録媒体が市場に存在する状況において、キャリブレーションやカラープロファイル補正のための正常な変換テーブルを生成できるか否かを、全ての記録媒体について正確に判断することは出来ず、安定した色再現処理が行えない状態であった。
【００１２】
本発明は、上記問題点を解決するためになされたものである。よってその目的とするところは、キャリブレーションやカラープロファイル補正の為の不適切なパラメータが未知の記録媒体に対応づけて用意されることを回避し、安定した色再現で画像を出力可能なデータ処理装置およびデータ処理方法を提供することである。
【課題を解決するための手段】
【００１３】
そのために本発明は、対象となる記録媒体上の記録材が付与されていない領域を測定手段を用いて測定した第１の測定結果を取得する取得手段と、前記対象となる記録媒体への記録のために画像データを補正する補正データが有効であるか否かを、前記取得手段が取得した前記第１の測定結果に基づいて判断する判断手段とを備え、前記補正データは、前記対象となる記録媒体に対して前記記録材が付与された領域を前記測定手段により測定した第２の測定結果と、前記記録材が付与された前記領域に対応する目標値と、に基づいて生成されることを特徴とする。
【００１４】
また、対象となる記録媒体上の、記録材が付与されていない領域を測定手段を用いて測定した第１の測定結果を取得する取得工程と、前記対象となる記録媒体への記録のために画像データを補正する補正データが有効であるか否かを、前記取得工程が取得した前記第１の測定結果に基づいて判断する判断工程とを有し、前記補正データは、前記対象となる記録媒体に対して前記記録材が付与された領域を前記測定手段により測定した第２の測定結果と、前記記録材が付与された前記領域に対応する目標値と、に基づいて生成されることを特徴とする。
【発明の効果】
【００１５】
本発明によれば、登録されていない記録媒体に対応づけて不適切なパラメータを用意することを回避し、様々な記録媒体に記録を行う状況においても、比較的安定した色再現で画像を出力することが可能となる。
【図面の簡単な説明】
【００１６】
【図１】（ａ）〜（ｃ）は、本発明の記録システムで使用可能な制御構成例を示す図である。
【図２】記録部によって実行される記録動作を模式的に説明する図である。
【図３】記録システムが画像処理部で実行する画像処理の工程を示すブロック図である。
【図４】記録システムが、記録媒体ごとのパラメータを記憶管理する状態を示す図である。
【図５】新たな記録媒体を登録する際の処理工程を説明するためのフローチャートである。
【図６】既に登録されている記録媒体の種類と重さの情報を示した図である。
【図７】記録媒体ごとのパラメータを記憶管理する状態を示す図である。
【図８】測色器パラメータの生成処理を説明するためのフローチャートである。
【図９】測色結果の利用の可否のためのテストパターンの一例を示す図である。
【図１０】（ａ）〜（ｃ）は、測色結果の例を示した図である。
【発明を実施するための形態】
【００１７】
以下、図面を参照して本発明の好適な実施形態を説明する。
【００１８】
図１（ａ）〜（ｃ）は、本実施形態のインクジェット記録システムにおいて使用可能な制御構成の形態例を示した図である。図１（ａ）は、ホスト装置３０１に対し、記録装置３０２および測色器３０３がそれぞれ独立に接続された画像記録システムを示し、図１（ｂ）は、記録装置３２２の内部に測色部３２３が設けられている形態を示す。また図１（ｃ）は、ホスト装置３０１は画像を提供するだけの機能を有し、本発明の特徴的な処理の全てが記録装置３３２内で実行される画像記録システムを示している。本実施形態の画像記録システムは、図１（ａ）〜（ｃ）のいずれの形態であっても対応することができるが、ここでは図１（ａ）を例に各ブロック区の機能について具体的に説明する。
【００１９】
ホスト装置３０１は、記録装置３０２への記録制御指示、必要な情報及びデータの転送、測色器３０３への測色制御指示、測色値の入手及び格納などを実施し、これら一連の機能はＣＰＵ３０４が司っている。記憶装置３０５には、ＯＳをはじめ、本実施形態のシステムプログラムや本発明で必要な予め設定しておくべき測色値や各種パラメータのほか、各種アプリケーションソフト及び各種処理に必要なパラメータデータが記憶管理されている。記憶装置３０５は、ハードディスクやフラッシュＲＯＭに代表される手段で構成可能である。
【００２０】
ＣＰＵ３０４は、記憶装置３０５に格納された上記ソフトウェアを、作業メモリ３０７を用いて実行する。すなわちＣＰＵ３０４は、本発明を実施するにあたり、ソフトウェアプログラムに基づいて、以下の説明における各工程での制御を各構成部に命令指示、情報伝達を行うことにより実施する。
【００２１】
ユーザインターフェースとなる操作部(以下、単に「ＵＩ」ともいう)３０６は、上記処理の実行に関して、ユーザに対する入出力に関する処理を行い、キーボードやマウス等の入力機器やディスプレイ等の表示器を含むものである。ユーザは、操作部３０６を介することにより、本発明に必要なパラメータを入力したりコマンドを発生したりする一方、システム内の情報を表示器を介して取得することが出来る。
【００２２】
測色器３０３は、ネットワークやＵＳＢまたはローカルバスなどのインターフェースを介し、ホスト装置３０１に接続されている。測色器３０３は、Ｌ*ａ*ｂ*データを取得可能なセンサを備え、記録装置３０２で記録された所定のテストチャートをホスト装置３０１の指示に従って測色し、その結果をホスト装置３０１に送信する。本実施形態における測色器３０３は、例えば米国Ｘ−Ｒｉｔｅ社製のｉ１  Ｐｒｏ,  ｉ１  ｉＳｉｓ等の汎用の分光反射測定装置とすることが出来る。
【００２３】
記録装置３０２は、データ転送部３０９、プリンタ制御部３１２、画像処理部３１０、記録部３１１を備えている。ホスト装置３０１から出力される印刷データは、データ転送部３０９で受信される。印刷データは、画像データと、記録媒体に対応付けられた画像処理パラメータとメカパラメータ、および測色器パラメータなどで構成されている。データ転送部３０９は、ＰＣ３０１から送られてきた印刷データから、画像データと画像処理パラメータを取り出して画像処理部３１０に送り、メカパラメータと測色器パラメータをプリンタ制御部３１２に送る。プリンタ制御部３１２は、メカパラメータや測色器パラメータに従って記録装置３０２の搬送動作やキャリッジ動作および測色器の設定などを実行する。
【００２４】
記録部３１１はインクを吐出する記録ヘッドやそのドライバから構成され、画像処理部３１０で一連の画像処理が施された後の画像データに従って、インクの吐出動作を実行する。
【００２５】
図１（ｂ）および（ｃ）における各ブロックも、図１（ａ）の各ブロックと同等の機能を有する。但し、図１（ｂ）では測色機能を有する測色部３２３が、記録装置３２２の内部に備えられた形態となっている。この際、測色部３２３の制御は記録装置３２２内のプリンタ制御部３２１が行う。
【００２６】
また、図１（ｃ）においては、図１（ａ）および（ｂ）におけるホスト装置３０１の機能ブロックを含む機能が、演算部３３４として記録装置３３２内に包含された形態となっている。そして、図１（ｃ）の場合、演算部３３４は、図１（ａ）および（ｂ）のプリンタ制御部３１２、３２１に代わって記録装置３３２および測色部３３３の制御も行う。
【００２７】
図１（ｃ）において、データ入出力装置３３７はＣＤやＭＯに代表される可搬性のある記憶装置やＬＡＮカードに代表されるようなデータ通信機器である。データ入出力装置３３７は、印刷対象データや校正処理の実行命令を他のホスト装置３０１から受け取る際のインターフェースとして使用される。このとき、印刷対象データを可搬性のある記憶装置を介して入力を行い、校正処理や通常印刷実行命令をＵＩ３３５から指定すれば出力装置３３２のみで処理は完結するため、ホストＰＣ３０１は必須ではない。
【００２８】
本実施形態の記録システムは、図１（ａ）〜（ｃ）のいずれの形態も採ることが出来る。図１（ａ）の場合はホスト装置３０１および記録装置３０２および測色器３０３を合わせたシステムが本発明の記録システムとなる。図１（ｂ）の場合は、ホスト装置３０１および測色部４０４を含む記録装置３２２を合わせたシステムが本発明の記録システムとなる。図１（ｃ）の場合は、演算部３３４および測色部４０４を含む記録装置３３２が本発明の記録システムとなる。以下、図１（ａ）の形態を有する記録システムを例に説明を続ける。
【００２９】
図２は、本実施形態における記録部３１１あるいは３４１によって実行される記録動作を模式的に説明する図である。記録ヘッドを搭載したキャリッジ４０３は、キャリッジ軸４０５に案内支持されながら図のｘ方向に移動し、この移動の最中に記録ヘッドは画像データに従ってインクを吐出し、記録媒体４０１に着弾させる。このような記録ヘッドによるｘ方向の記録走査と、記録媒体４０１をｙ方向に搬送する搬送動作とを交互繰り返すことにより、記録媒体４０１に段階的に画像データに従った画像を形成していく。なお、図２では、キャリッジ４０３の側部に測色を行うためのセンサ４０４が配置されており、図１（ｂ）または（ｃ）の形態、すなわち測色部４０４が記録装置内に配備されている形態を示している。
【００３０】
図３は、本実施形態の記録システムが画像処理部３１０または３４０で実行する画像処理の工程を示すブロック図である。画像処理部は、画像信号Ｉ／Ｆ  ２０１を介して画像データを受信する。この画像データは、レッド、グリーンおよびブルーの輝度信号値で構成されたＲＧＢ信号、あるいはシアン、マゼンタ、イエローおよびブラックで構成されたＣＭＹＫ信号のいずれかであり、どちらも８ビット程度の多値信号で構成されている。
【００３１】
入力信号がＲＧＢである場合は、ＲＧＢ系カラーマッチング処理部２０２において、記録装置に依存しない色空間ＲＧＢから、本実施形態の記録装置に依存する色空間Ｒ´Ｇ´Ｂ´への変換が行われる。その後、色分解処理部２０４において、記録装置で使用するインク色に対応したＣＭＹＫ信号に色変換される。ＲＧＢ系カラーマッチング処理部２０２においても色分解処理部２０４においても、予め用意された３次元のルックアップテーブルが参照され、ＲＧＢやＲ´Ｇ´Ｂ´のそれぞれがテーブルによって対応付けられたＲ´Ｇ´Ｂ´やＣＭＹＫに変換される。
【００３２】
一方、入力信号がＣＭＹＫである場合は、ＣＭＹＫ系カラーマッチング処理部２０３において、やはり記録装置に依存しない色空間ＣＭＹＫから、本実施形態の記録装置に依存する色空間Ｃ´Ｍ´Ｙ´Ｋ´への変換が行われる。ＣＭＹＫ系カラーマッチング処理部２０３においては、予め用意された４次元のルックアップテーブルが参照され、ＣＭＹＫに対応付けられたＣ´Ｍ´Ｙ´Ｋ´に変換される。
【００３３】
その後、色分解処理部２０４からの出力信号ＣＭＹＫ、およびＣＭＹＫ系カラーマッチング処理部２０３からの出力信号Ｃ´Ｍ´Ｙ´Ｋ´は、階調補正処理部２０５に入力される。階調補正処理部２０５では、記録媒体で表現される記録濃度が入力信号と線形関係を維持できるように、色毎に一次変換が行われる。この際、階調補正処理部２０５では、色ごとに用意された１次元のルックアップテーブルが参照される。なお、これら、ＲＧＢ系カラーマッチング処理部２０２、ＣＭＹＫ系カラーマッチング処理部２０３、色分解処理部２０４、および階調補正処理部２０５で行われる信号値変換は、全て８ビット程度の多値信号で行われる。
【００３４】
階調補正処理が施された多値データはハーフトーニング処理部２０６に入力され、各インク色について、ドットの記録（１）あるいは非記録（０）を示す２値データに変換される。その後、２値データは、記録部２０７（３１１、３４１）に送られ、記録ヘッドから当該データに従った吐出動作が行われる。
【００３５】
ところで、ＲＧＢ系カラーマッチング処理部２０２、ＣＭＹＫ系カラーマッチング処理部２０３、色分解処理部２０４、および階調補正処理部２０５で参照されるルックアップテーブルは、記録媒体の種類に応じて複数ずつ用意されるのが一般である。これは、同じインクを用いて記録を行った場合でも、表現される色空間や入力信号と画像濃度の線形関係が、記録媒体に応じて様々であるからである。また、画像処理以外でも、記録媒体の扱い方は記録媒体の種類に応じて異なる場合も多い。そこで本実施形態では、例えば搬送条件を設定するパラメータのように記録媒体の扱い方を示すメカパラメータについても、画像処理のパラメータとともに、記録媒体ごとに用意し記憶する手段を備えるものとする。
【００３６】
図４は、本実施形態の記録システムが、記録媒体ごとのパラメータを記憶管理する状態を示す図である。ここでは、一例として、普通紙Ａ〜Ｃ、コート紙Ａ〜Ｃ、光沢紙Ａ〜Ｃが予め定められた記録媒体として登録されており、それぞれの記録媒体ごとにパラメータが管理されている状態を示している。各記録媒体については、メカパラメータ、画像処理パラメータ、測色器パラメータがそれぞれ用意されている。ここで、メカパラメータには、記録媒体をｙ方向に搬送する搬送モータの回転量を設定するためのパラメータや、記録媒体の厚みに応じて記録ヘッドの高さを調整するためのパラメータなどが含まれる。画像処理パラメータは、図３で説明した各種変換処理を実行する際に参照するルックアップテーブルが該当する。また、測色器パラメータには、例えば測色を行う際にＵＶカットフィルターの是非を指定したり、測色データの利用可否を指定したりするパラメータが含まれている。測色データの利用可否パラメータについては、後に詳しく説明する。
【００３７】
本実施形態の記録システムにおいては、このような３種類のパラメータが記録媒体の種類ごとにメモリに記憶され管理されている。そして、このように予め登録されている記録媒体以外の新たな記録媒体を登録する際には、これらとは別の領域に新たなメモリ領域を確保し、ここに新たな記録媒体のメカパラメータ、画像処理パラメータ、測色器パラメータを記憶管理する。
【００３８】
図５は、本実施形態の記録システムにおいて、新たな記録媒体を登録する際にＣＰＵが実行する処理工程を説明するためのフローチャートである。ここでは、一例としてカラープロファイル生成機能について説明する。本処理は、ユーザが新たに登録したい記録媒体を記録装置にセットし、カラープロファイル生成コマンドをＵＩ３０６に入力することによって開始される。
【００３９】
本処理が開始されると、ＣＰＵ３０４は、まずステップＳ５０１において、類似する記録媒体種情報をＵＩ３０６から受信し、新たに登録したい記録媒体の各種パラメータを仮設定する。具体的に説明すると、まずユーザは、既に登録済みの記録媒体の中から、新たに登録したい記録媒体と類似する記録媒体種を、ＵＩ３０６のプルダウンメニュー等から選択し、ベースメディアとして設定する。
【００４０】
図６は、既に登録されている記録媒体の種類と単位面積当たりの重さの情報を示した図である。このような情報は、ユーザが予め知識として持っていてもよいし、記憶装置３０５に記憶された情報が、ヘルプ機能によってＵＩ３０６を介して表示されてもよい。ここで、新たに登録したい記録媒体が、例えばレジンを基材としたコート紙で、重さが１５０ｇ／ｍ２であったとすると、ユーザは、図６の一覧表の中から「光沢紙Ｂ」をベースメディアとして設定することが出来る。ＣＰＵ３０４はこのようなベースメディア設定を受け、記憶装置３０５内に、新たに登録したい記録媒体のための記憶領域を「光沢紙Ｄ」として確保する。
【００４１】
図７は、ＣＰＵ３０４が「光沢紙Ｄ」のための記憶領域を確保した状態における、記録媒体ごとのパラメータを記憶管理する状態を示す図である。図４と比較するに、既に登録済みの９種類の記録媒体に加え、「光沢紙Ｄ」のための記憶領域が他の記録媒体と同様に設けられている。ＣＰＵ３０４は、当該領域のメカパラメータ、画像処理パラメータ、測色器パラメータを記憶する領域のそれぞれに、「光沢紙Ｂ」のメカパラメータ、画像処理パラメータ、測色器パラメータをコピーし仮設定する。
【００４２】
ステップＳ５０２において、ＣＰＵ３０４は、光沢紙Ｄのためのメカパラメータの生成を行う。具体的には、セットされた記録媒体を給紙し、仮設定された「光沢紙Ｂ」のパラメータを用いながら給紙調整のための所定のテストパターンを記録し、これを検出する。そして、この測定結果に基づいて「光沢紙Ｄ」のためのメカパラメータを新たに算出し、これを「光沢紙Ｄ」のメカパラメータ領域に記憶する。なお、メカパラメータ取得のためのパターン記録、検出および算出方法に関しては、公知の技術であり本発明の特徴とするところではないため、ここではその詳細な説明を省略する。
【００４３】
続くステップＳ５０３において、ＣＰＵ３０４は、「光沢紙Ｄ」のための測色器パラメータの生成を行う。
【００４４】
図８は、ステップＳ５０３で実行する測色器パラメータの生成処理を説明するためのフローチャートである。本処理が開始されると、ＣＰＵ３０４は、まずステップＳ８００において、セットされた記録媒体を給紙し、現状設定されている「光沢紙Ｄ」のパラメータを用いながら測色データの利用の可否のための所定のテストパターンを記録する。
【００４５】
図９は、上記テストパターンの一例を示す図である。白紙領域９０１を設けながら、所定の記録密度で複数のパッチ９０２が記録されている。パッチ９０２については、例えばシアン、マゼンタ、イエローおよびブラックをそれぞれ２０％の記録密度で記録したパターンとすることが出来る。但し、本実施形態において、このようなインクの付与を伴うパッチが必ずしも必要なわけではない。ステップＳ５０３における工程は、注目する記録媒体を用いて測色が適切に行われるか否かを判定するための工程であるので、記録媒体の非記録部分９０１のみを測色するのみで判断が可能な場合には、パッチ９０２は記録しなくても構わない。この場合ステップＳ８００は記録媒体の給紙動作のみとなる。
【００４６】
ステップＳ８０１において、ＣＰＵ３０４は、測色器３０３を用いて図９で示したテストパターンの複数の白紙領域および複数のパッチ領域をそれぞれ測色する。そして、白紙領域とパッチ領域の夫々について平均値と標準偏差を算出し、一時的に保存する。
【００４７】
図１０（ａ）〜（ｃ）は、ステップＳ８０１において測定および記憶される測色結果の例を示した図である。図１０（ａ）は比較的一般的な光沢紙の測色結果、同図（ｂ）は表面に凹凸があるキャンパス地の測色結果、同図（ｃ）は地色に比較的鮮やかな黄色味を帯びている記録媒体の測色結果をそれぞれ示している。
【００４８】
凹凸があるキャンパス地の場合、白紙領域についても、パッチ領域についても、他の記録媒体に比べＬ*（明度）の標準偏差が大きいことが分かる。これは、記録媒体の表面に凹凸があるため、入射光の散乱が位置によって様々で、他の記録媒体に比べ受光量のばらつきが大きいことが考えられる。このような記録媒体においては、測色結果が安定せずその結果も信頼できるものとはならない。
【００４９】
一方、黄色味を帯びた記録媒体の場合、白紙領域のａ*ｂ*の平均値が他の記録媒体と大きくずれていることが分かる。これは、白紙領域に既に０でない色度が含まれていることを意味する。このような記録媒体の場合、パッチ領域の測色結果に地色の影響が含まれ、記録媒体にインクを付与したことによる色相や彩度への影響が判断し難くなる。その結果、このような記録媒体上に記録されたパッチを測色しても、インクの付与に伴う色相や彩度への影響を補正するためのカラープロファイルを適切に生成することは出来ない。
【００５０】
以上のことより、本実施形態では、図１０（ｂ）のような記録媒体や図１０（ｃ）のような記録媒体については、測色データの利用やカラープロファイル生成をあえて行わないようにする。そのため、まず、ステップＳ８０３において、ＣＰＵ３０４はステップＳ８０２で算出した標準偏差が規定値以上であるか否かを判断する。具体的に説明すると、本例では、測色結果のＬ*値の標準偏差が閾値０．５未満であるか否かを判断する。Ｌ*値の標準偏差が０．５未満である場合は、測色可能と判断しステップＳ８０４に進む。一方、Ｌ*値の標準偏差が０．５以上である場合は、測色不可能と判断しステップＳ８０５に進む。そして、ステップＳ８０５では、測色器パラメータの測色データ利用可否判定情報として“０”を設定する。図１０（ｂ）のような結果が得られる記録媒体の場合、測色器パラメータの測色データ利用可否判定情報には“０”が設定される。
【００５１】
一方、ステップＳ８０４において、ＣＰＵ３０４はステップＳ８０２で算出したＬ*ａ*ｂ*の平均値が所定の条件を満たすか否かを判断する。具体的には、Ｌ*ａ*ｂ*の平均値が、Ｌ*＞８０  且つ  −５＜ａ*＜５  且つ  −１５＜ｂ*＜５  を満たすか否かを判断する。上記条件を満たす場合はカラープロファイル作成が可能と判断し、ステップＳ８０６に進む。そして、ステップＳ８０６では、測色器パラメータの測色データ利用可否判定情報として“１”を設定する。図１０（ａ）のような結果が得られる記録媒体の場合、測色器パラメータの測色データ利用可否判定情報には“１”が設定される。
【００５２】
一方、Ｌ*ａ*ｂ*の平均値が上記条件を満たさない場合は、カラープロファイル作成不可能と判断し、ステップＳ８０７に進む。ステップＳ８０７では、測色器パラメータの測色データ利用可否判定情報として“２”を設定する。図１０（ｃ）のような結果が得られる記録媒体の場合、測色器パラメータの測色データ利用可否判定情報には“２”が設定される。  
ステップＳ８０５〜ステップＳ８０７によって、記録媒体に応じた測色データ利用可否判定情報が設定されると、本処理を終了し図５のフローチャートに戻る。
【００５３】
再度図５を参照する。ステップＳ５０４では、ステップＳ５０３で記憶した測色器パラメータの測色データ利用可否判定情報を確認し、「光沢紙Ｄ」のためにカラープロファイルを作成可能か否かを判断する。具体的には、測色データ利用可否判定情報が“１”の場合はカラープロファイルを作成可能と判断しステップＳ５０５へ進み、測色データ利用可否判定情報が“０” または “２”の場合はカラープロファイルを作成不可能と判断しステップＳ５０７へジャンプする。
【００５４】
ステップＳ５０５では、セットされた記録媒体を給紙し、現状の「光沢紙Ｄ」のパラメータを用いながらカラープロファイルを作成するための所定のテストパターンを記録する。ここで、現状の「光沢紙Ｄ」のパラメータとは、メカパラメータについてはステップＳ５０２で設定されたパラメータとなる。画像処理パラメータについては、ステップＳ５０１で仮設定した「光沢紙Ｂ」のパラメータとなる。具体的には、再度図３を参照するに、所定のＲＧＢデータを有するいくつかのパッチデータを用意し、これらに対しカラーマッチング処理部２０２のみスルーさせ、色分解処理以降の処理は、光沢紙Ｂのパラメータを用いて行った上で記録を行う。記録したパターンは例えば図２の様になる。そして、所定のパッチパターンが記録されると、測色器３０３を用いてこれを測色する。測色データは、記憶装置３０５に一時的に記憶される。
【００５５】
ステップＳ５０６では、ステップＳ５０５で記憶した測色データに基づいて、カラープロファイルを作成する。測色データからルックアップテーブルを生成する方法は、公知の技術であり本発明の特徴事項ではないので詳細な説明は省略する。生成されたカラープロファイルは、「光沢紙Ｄ」に記録を行う際に、カラーマッチング処理部２０２で参照される３次元のルックアップテーブルとなる。
【００５６】
ステップＳ５０７では、以上のステップで新たに生成された各種パラメータを「光沢紙Ｄ」の固有パラメータとして記憶装置の「光沢紙Ｄ」の領域に正式に設定する。ここで、ステップＳ５０４でカラープロファイルを作成可能と判断された記録媒体については、ステップＳ５０６で新たに生成されたカラープロファイルが正式設定される。一方、ステップＳ５０４でカラープロファイルを作成不可能と判断された記録媒体については、「光沢紙Ｂ」に最適化されたカラープロファイルが「光沢紙Ｄ」のために正式設定される。以上で本処理が終了する。
【００５７】
以上説明した本実施形態によれば、登録されていない新たな記録媒体への記録を行おうとしたとき、当該記録媒体のパラメータを生成する前に、その測色の是非および測色データに基づいて適切なカラープロファイルを生成できるか否かを判断することが出来る。つまり、適切なカラープロファイルを生成できない記録媒体の場合には、ステップＳ５０５およびステップＳ５０６の工程が行われず、無駄に記録媒体や時間を消費することを回避することが出来る。そして、当該記録媒体に対し実際の記録を行う際は、ステップＳ５０７で正式に設定されたパラメータを用いて画像処理が行われる。このとき、凹凸の激しい記録媒体や彩度の高い地色を有する記録媒体の場合には、その記録媒体に対する測色データからカラープロファイルを無理に生成することなく、最も似通った記録媒体のカラープロファイルを用いて画像処理が行われる。
【００５８】
すなわち本実施形態によれば、測色が適切に行われ、専用のカラープリファイルを信頼性の高い状態で生成可能と判断された記録媒体についてのみ、そのようなカラープロファイルが生成され、色再現性に優れた画像を出力することが出来るのである。また、測色が適切に行われず、専用のカラープリファイルを信頼性の高い状態で生成可能ではないと判断された記録媒体については、似通った記録媒体のカラープロファイルを用いて画像処理が行われ、安定した色再現の画像を出力することが出来るのである。その結果、新たな記録媒体に記録を行う場合でも、当該記録媒体に対応づけて不適切なパラメータを用意することを回避し、比較的安定した色再現で画像を出力することが可能となる。
【００５９】
なお、以上ではカラーマッチング処理部２０２で参照するカラープロファイルを生成す場合について説明したが、無論本実施形態の機能をキャリブレーションに適用することも出来る。この場合には、ステップＳ５０５でテストパターンを記録する際に、カラーマッチング処理部２０２および色分解処理部２０４の処理は現状のパラメータを用いて行いながら、階調補正処理部２０５のみスルーで画像処理を行うこととなる。また、テストパターンとして記録されるパッチは、インク色ごとに用意された複数階調のパッチとなる。生成されるテーブルは、多次元の変換テーブルではなく階調補正処理部２０５が参照する１次元の変換テーブルとなる。
【００６０】
更に、カラープロファイルの生成とキャリブレーションとを同時に行うことも可能である。この場合、例えば測色データ利用可否判定情報が“２”である記録媒体については、色度が影響するカラープロファイルの生成を行うことは出来なくても、濃度のみで判断するキャリブレーションは行える場合がある。このような場合には、測色データ利用可否判定情報に応じて、階調補正処理部で参照する１次元のルックアップテーブルのみを生成し、カラープロファイルについては、上記実施形態のように似通った記録媒体のデータを用いるようにしても構わない。
【符号の説明】
【００６１】
２０２    ＲＧＢ系カラーマッチング処理部
２０３    ＣＭＹＫ系カラーマッチング処理部
２０４    色分解処理部
２０５    階調補正処理部
３０１    ホスト装置
３０２    記録装置
３０３    測色器
３０４    ＣＰＵ
３０５    記憶装置
３０６    ＵＩ
３０７    作業メモリ
３０９    データ転送部
３１０    画像処理部
３１１    記録部
３１２    プリンタ制御部
【図１】
0005971984.tif 000002
【図２】
0005971984.tif 000003
【図３】
0005971984.tif 000004
【図４】
0005971984.tif 000005
【図５】
0005971984.tif 000006
【図６】
0005971984.tif 000007
【図７】
0005971984.tif 000008
【図８】
0005971984.tif 000009
【図９】
0005971984.tif 000010
【図１０】
0005971984.tif 000011